(57)【要約】【課題】  苗載せ台に備えるウインカーのコストの上昇を抑制しながら、配線も容易に行える田植機を合理的に構成する。【解決手段】  苗載せ台Ｔの横方向での端部において、横方向に開放する凹部Ｇを形成し、この凹部Ｇの内部空間で、かつ、側面視において苗載せ台Ｔの苗載せ面に対して傾斜する姿勢となる傾斜内壁３６Ｃにランプ支持部としてのソケット６５を形成し、このソケット６５にランプ６１を支持してウインカーＷを構成した。【選択図】        図３
2007082473.tif 000002
【特許請求の範囲】
【請求項１】
走行機体に苗植付装置を備え、この苗植付装置の苗載せ台の左右両端部にウインカーを備えている田植機であって、
前記苗載せ台の横方向での端部に横方向に開放する凹部を形成し、この凹部の内部空間にランプを配置して前記ウインカーが構成されると共に、前記凹部の内面のうち、前記苗載せ台の苗載せ面と非平行となる姿勢の内壁にランプを支持するランプ支持部を形成している田植機。
【請求項２】
前記凹部が、側面視において前記苗載せ面に対して傾斜する姿勢となる傾斜内壁を備えて構成されると共に、この傾斜内壁に前記ランプ支持部を形成している請求項１記載の田植機。
【請求項３】
前記苗載せ台に形成した左右の凹部の形状が苗載せ台の左右方向で面対称となる形状に形成され、夫々の凹部を覆う透光性のランプカバーとして同じ形状のものが兼用されている請求項１又は２記載の田植機。
【発明の詳細な説明】
【技術分野】
【０００１】
本発明は、走行機体に苗植付装置を備え、この苗植付装置の苗載せ台の左右両端部にウインカーを備えている田植機に関する。
【背景技術】
【０００２】
上記のように構成された、田植機として特許文献１に記載されるものが存在する。つまり、苗載せ台の両横外側にウインカー（特許文献１では方向指示器）を付設してあり、このウインカーと機体の制御器と接続する電線を苗載せ台の裏面側に配置している。
【０００３】
【特許文献１】特開平１０‐３０９１１３号公報  （段落番号〔００３５〕、〔００３５〕、図１〜図５）
【発明の開示】
【発明が解決しようとする課題】
【０００４】
特許文献１ではウインカーの具体的な構造は示されないが、ウインカーの構造を考えるに、樹脂やガラス等の透光性の材料を用い、内部にランプを収納できるブロック状となるケースを備えた構造のものを想定できる。この構造のウインカーは苗載せ台に突出した形態で取付けるため破損しやすく、また、配線のために苗載せ台に孔部を形成する必要がある点において改善の余地がある。特に、この構造のウインカーで左右に用いるものの形状が異なるものでは、左右夫々を別個に製造しなくてはならず、製造コストの上昇に繋がるものであった。
【０００５】
本発明の目的は、苗載せ台に備えるウインカーのコストの上昇を抑制しながら、配線も容易に行える田植機を合理的に構成する点にある。
【課題を解決するための手段】
【０００６】
本発明の特徴は、走行機体に苗植付装置を備え、この苗植付装置の苗載せ台の左右両端部にウインカーを備えている田植機であって、
前記苗載せ台の横方向での端部に横方向に開放する凹部を形成し、この凹部の内部空間にランプを配置して前記ウインカーが構成されると共に、前記凹部の内面のうち、前記苗載せ台の苗載せ面と非平行となる姿勢の内壁にランプを支持するランプ支持部を形成している点にある。
【０００７】
この構成により、苗載せ台の横方向での端部に形成された凹部の内部空間のうち、苗載せ台の苗載せ面と非平行姿勢となる内壁に形成したランプ支持部にランプを支持するので、例えば、ブロック状の部材で形成されたウインカーを苗載せ台にボルト等を用いて取付けるものと比較すると、ウインカーを製造するための工程を低減できるばかりでなく、取付けの手間が掛からず、しかも、ランプ支持部に対して苗載せ台の裏面側等から配線を容易に導くことが可能となる。つまり、本発明によると、苗載せ台の製造時に凹部を形成しておくことにより、この凹部を覆う透光性の樹脂等で形成したランプカバーとランプとのパーツを用いる程度でウインカーを形成でき部品点数が低減できる。
【０００８】
その結果、苗載せ台に備えるウインカーのコストの上昇を抑制しながら、配線も容易に行える田植機を合理的に構成できた。
【０００９】
本発明は、前記凹部が、側面視において前記苗載せ面に対して傾斜する姿勢となる傾斜内壁を備えて構成されると共に、この傾斜内壁に前記ランプ支持部を形成しても良い。
【００１０】
例えば、凹部の内部空間のうち苗載せ台の苗載せ面と平行姿勢となる壁面にランプ支持部を形成したものを想定すると、この姿勢の壁面にランプを支持するものでは、ソケット等に接続する配線が苗載せ台の裏面側に突出しやすいものであるが、本発明の構成のように苗載せ面に対して傾斜する姿勢となる傾斜内壁にランプ支持部を形成することにより、配線を苗載せ台の裏面側に突出させ難いものにできる。
【００１１】
本発明は、前記苗載せ台に形成した左右の凹部の形状が苗載せ台の左右方向で対称となる形状に形成され、夫々の凹部を覆う透光性のランプカバーとして同じ形状のものを兼用しても良い。
【００１２】
この構成により、左右のウインカーを形成する際に、異なる形状のランプカバーを用いる必要が無く、部品の種類を半減して低廉化を実現する。
【発明を実施するための最良の形態】
【００１３】
以下、本発明の実施形態を図面に基づいて説明する。
図１には乗用型の田植機において走行機体（図示せず）の後端にリンク機構９を介して昇降自在に連結され、油圧シリンダ８の作動によって昇降作動する苗植付装置Ａを示している。
【００１４】
この苗植付装置Ａはマット状苗（図示せず）を載置する苗載せ台Ｔ、走行機体から伝動軸１３を介して動力が伝えられる伝動ケース１４と、この伝動ケース１４からチェーンケース１５を介して伝えられる動力で回転するロータリケース１６と、このロータリケース１６に一対ずつ備えられた植付アーム１７と、複数の整地フロート１８夫々を備えて６条植用に構成されている。尚、この苗植付装置Ａは６条植に限るものではなく、４条植や、６条植以上の条数に構成することも可能である。
【００１５】
前記苗載せ台Ｔは、横向き姿勢の摺動レール２５に対して横方向にスライド移動自在に支持されると共に、図１、図２に示すように、苗載せ面Ｔｓに載置されたマット状苗を下方に送るベルト式の縦送機構Ｃを備え、前記苗載せ面Ｔｓに載置されたマット状苗の浮き上がりを防止する苗ステー機構Ｄを備え、該苗載せ台Ｔの上端には出退操作自在に延長苗載せ台Ｅを備え、更に、左右両端部の上部位置にはウインカーＷを備えている。
【００１６】
この苗植付装置Ａは、苗植付け作業時に走行機体の走行と連動して前記摺動レール２５に沿って苗載せ台Ｔを横方向に送る作動が行われると同時に、苗載せ台Ｔに載置されたマット状苗（図示せず）の下端から前記植付アーム１７が苗を１株ずつ切り出して圃場面に植え付ける作動を行い、この植付け作動によって苗載せ台Ｔが移動端に達すると、前記縦送機構Ｃが設定量だけマット状苗を下方に送り、この後に、苗載せ台Ｔを逆方向に移動させるように作動形態が設定されている。
【００１７】
図８（イ）に示すように、前記苗載せ台Ｔは、１条分のマット状苗を載置する樹脂製のベース３０を植付け条数に対応する数だけ連結した構造を有している。このベース３０はマット状苗を載置する苗載せ面Ｔｓを有した板状の載置部３１と、この載置部３１の幅方向での両端に壁状に形成した縦壁部３２とが一体的に形成されると共に、幅方向での端部にはベース３０同士を連結する連結構造を有している。
【００１８】
尚、前記載置部３１の苗載せ面Ｔｓには前記マット状苗の下方への移動を容易にするように縦長姿勢となる複数のリブ３１ａを突出形成してあり、また、前記縦送機構Ｃを構成する縦送りベルト４０がセットされる開口３１ｂ（図７を参照）と、縦送りベルト４０の内面側を案内するガイド部３１ｃとを形成している。
【００１９】
図８（イ）〜（ハ）に示すように、前記縦壁部３２の上端側（苗載せ面Ｔｓから離間する側）には、苗載せ面Ｔｓと平行姿勢となる横壁３３を一体的に形成し、この横壁３３の端部に接当面３３ｓを形成している。また、前記接当面３３ｓから横方向に離間する位置に挟圧部材３４を形成しており、この挟圧部材３４と前記接当面３３ｓとが取り囲む構造の空間によって前記嵌合孔Ｈが形成されている。この嵌合孔Ｈは前記接当面３３ｓに沿って複数（３箇所程度）形成され、この嵌合孔Ｈに嵌合する嵌合片３５が前記嵌合孔Ｈと対向する側の横壁３３から下方に突出する舌片状に形成され、更に、この嵌合片３５の突出側の端部には抜け止め用の爪部３５ａが形成されている。
【００２０】
このような構造であるため、嵌合孔Ｈに対して嵌合片３５を圧入することにより、前記挟圧部材３４が嵌合孔Ｈを拡大するように弾性変形して嵌合片３５の爪部３５ａの挿入を許し、この挿入の後に、爪部３５ａの係合面が対向する横壁３３に係合する結果、隣接するベース３０同士の連結状態が維持されるのである。
【００２１】
特に、両端部のベース３０の外端位置には前記係合構造を利用してサイドカバー３６を支持しており、左右のサイドカバー３６に前記ウインカーＷが備えられている。このウインカーＷの構造については後述する。
【００２２】
前記縦送機構Ｃは、図６、図７に示すように、１条分の苗載せ面Ｔｓ毎に縦送りベルト４０を備えている。この縦送りベルト４０は下側の駆動プーリ４１と、上側のテンションプーリ４２とに巻回しており、駆動プーリ４１は駆動軸４３に支持され、テンションプーリ４２は支軸４４に支持されている。
【００２３】
図１０（イ）に示すように、前記駆動プーリ４１は断面形状が正六角形となる嵌合孔４１Ｈが形成され、この嵌合孔４１Ｈに対して断面形状が正六角形となる前記駆動軸４３を挿通している。また、図１０（ロ）に示すように、前記テンションプーリ４２は断面形状が円形となる貫通孔４２Ｈが形成され、この貫通孔４２Ｈに前記支軸４４を回転自在に挿通している。
【００２４】
図面には示していないが、前記駆動軸４３は、前述したように苗載せ台Ｔが横方向の作動端に達する毎に設定量だけ回転力が伝えられる駆動系と連係している。また、前記支軸４４はバネ４５によって上方に付勢され、縦送りベルト４０に適度の張力を作用させるように構成している。
【００２５】
前記縦送りベルト４０はゴム等の柔軟な素材で形成され、その表面側には複数の突起４０ａをランダム（整列しない位置関係）に形成している。また、図９に示すように、前記駆動プーリ４１、及び、テンションプーリ４２は夫々とも、軸芯方向で分割自在な部材４１Ａ、４２Ａで構成されている。
【００２６】
駆動プーリ４１を構成する２つの部材４１Ａを例に挙げると、２つの部材４１Ａは同じ形状に成形されており、一方の端部には決まった姿勢でのみ嵌合するように、前記嵌合孔４１Ｈの軸芯と並行する方向に突出する突出部４１Ｐと、前記軸芯と並行する方向に凹入する凹入部４１Ｑとが形成されている。このような構造のため、２つの部材４１Ａは決まった位相でのみ嵌合して一体化する。これと同様に、前記テンションプーリ４２も突出部４２Ｐと凹入部４２Ｑとが形成されている。
【００２７】
図１２、図１３に示すように、前記延長苗載せ台Ｅは、延長プレート４７の上端部から下方に向けて広幅のスリット状に開放する３箇所の開放部４７Ｓを形成することにより、中央部に２つの主苗載せ部４７Ａと、両端側に副苗載せ部４７Ｂとを備えた構造を有しており、前記２つの主苗載せ部４７Ａに対して２つずつ孔部４７Ｈを形成している。また、前記開放部４７Ｓと孔部４７Ｈとに平面視において重複する位置には、前記延長プレート４７の上端部に連結し、延長プレート４７の表面との間に隙間が形成されるように前記上端部に対して片持ち状に連結しリブ４８を有している。
【００２８】
苗載せ台Ｔの上端には、１条につき前記１つの主苗載せ部４７Ａと１つの副苗載せ部４７Ｂとが上下方向に挿通する開口ＴＡが２つ形成されている。前記リブ４８と延長プレート４７との隙間の間隔は前記苗載せ台Ｔを構成するベース３０の厚さより僅かに大きい値に設定している。このような構造であるため、作業者が延長苗載せ台Ｅの上端部を握って引き上げる操作と、苗載せ台Ｔの側に押し込み操作とを行えるように構成されている。
【００２９】
特に、この延長苗載せ台Ｅでは前記リブ４８が苗載せ台の苗載せ面Ｔｓの上方に位置し、苗載せ台Ｔの裏面側に延長プレート４７が位置することになるので、延長苗載せ台Ｅのスライド作動を安定した姿勢で行えると共に、苗載せ台Ｔの上部位置には常にリブ４８が配置されるためマット状苗の送り込みを容易にするものとなる。
【００３０】
前記苗載せ台Ｔは、前記縦壁部３２によって１条に対応したマット状苗を仕切る構造となっており、図２、図６、図１１に示すように、この縦壁部３２に連設した前記横壁３３の上面位置に支柱５１を立設し、この支柱５１に位置調節自在に備えたブラケット５２に対して横向き姿勢の上部支持ロッド５３の折り曲げ部５３ａの端部を支持し、また、前記横壁３３の下部位置に支持プレート５４を備え、この支持プレート５４に横向き姿勢の下部支持ロッド５５を支持している。
【００３１】
前記上部支持ロッド５３と下部支持ロッド５５とを連結する状態で各条毎に２本の主苗ステー５６を備えると共に、下部支持ロッド５５に対して各条毎に上向きとなる１本の補助苗ステー５７を備えている。
【００３２】
前記上部支持ロッド５３の折り曲げ部５３ａは上部支持ロッド５３と平行姿勢に成形され、この折り曲げ部５３ａの端部を前記ブラケット５２に形成された係合部５２ａに係合している。このブラケット５２は樹脂材の成形物であり、前記係合部５２ａは、上方に開放する空間が形成され、この空間に対して前記折り曲げ部５３ａが係合支持されている。尚、このように係合部５２ａが上方に開放する空間を備えているので、前記上部支持ロッド５３の折り曲げ部５３ａの端部が脱落し難いものとなる。
【００３３】
前記支持プレート５４には苗載せ台Ｔの苗載せ面Ｔｓに沿ってスリット状に開放する複数の係合部５４ａを形成しており、前記下部支持ロッド５５の何れかの係合部５４ａに係合させることにより、主苗ステー５６と補助苗ステー５７との下端側の苗載せ面Ｔｓに対する高さを調節できるように構成されている。また、蝶ボルト５２ｂの操作で前記支柱５１に対するブラケット５２の位置調節を行うことにより主苗ステー５６の上端側の苗載せ面に対する高さを調節できるように構成されている。
【００３４】
図３〜図５に示すように、このウインカーＷは、前記サイドカバー３６に形成した凹部Ｇと、この凹部Ｇの空間内に備えたランプ６１と、この凹部Ｇを覆う透光性でイエロー系やレッド系等の色相に着色した樹脂製のランプカバー６２とを備えている。
【００３５】
前記ランプカバー６２の材質としてアクリル樹脂・ポリカーボネート樹脂・ポリエチレン樹脂等の使用が可能であり、また、このランプカバー６２の内面にフレネルレンズやレンチキュラーレンズ等を一体形成して光束を制御するよう構成しても良い。前記ランプ６１としてガラス球の内部にフィラメントを封入した構造のものを想定しているが、ガラス球の内部に微量のハロゲン物質を封入したハロゲンランプを用いることや、発光ダイオードを用いることが可能であり、また、発光ダイオードと蛍光物質とを組み合わせたものも使用可能である。
【００３６】
前記凹部Ｇは、側面視において、苗載せ面Ｔｓと平行姿勢となる底壁３６Ａと、この底壁３６Ａの側部において苗載せ面Ｔｓと直交する姿勢の側壁３６Ｂと、底壁３６Ａの下端から前記苗載せ面Ｔｓに傾斜する姿勢で凹部Ｇの開口縁の下端と連なる下側の傾斜内壁３６Ｃと、この下側の傾斜内壁３６Ｃと対称する位置にある上側の傾斜内壁３６Ｄとを備えている。このような構造のため、凹部Ｇは後方と外側方（横方向）とに開放している。
【００３７】
前記底壁３６Ａには一対の押圧片６３Ａを有した係合孔６３を形成し、前記側壁３６Ｂの上下位置には一対の孔部６４を形成している。前記ランプカバー６２は、前記凹部Ｇを覆う外壁面が形成されると共に、前記係合孔６３に係入する突出片６２Ａと、前記孔部６４に係入する突出片６２Ｂとが一体的に形成されている。尚、突出片６２Ａには抜け止め用の爪部６２Ｔが一体的に形成されている。
【００３８】
このランプカバー６２は、その側面が前記サイドカバー３６の側端より外方に少し突出し、上下位置の中央位置を挟んで面対称となる構造を有しており、左右の凹部Ｇの何れにも装着できる構造を備えている。このランプカバー６２を装着する際には、サイドカバー３６の外方から内方に向けて圧入することにより、前記孔部６４に突出片６２Ｂが係入して位置決め状態になると同時に、係合孔６３に突出片６２Ａの爪部６２Ｔが嵌り込んで脱落しない状態に達する。
【００３９】
また、前記下側の傾斜内壁３６Ｃには、前記ランプ６１を支持するランプ支持部としてのソケット６５を備えており、このソケット６５に電力を供給する配線６６を、ソケット６５から前記サイドカバー３６の内部を下方に導いている。
【００４０】
このようにウインカーＷを構成したので、ブロック状となる構造のウインカーを用いるものようにボルト等での取付け作業を行う必要がないばかりか、構造が極めて簡単で、ランプカバー６２も左右のものを兼用しているので、コストの低減が可能となり、しかも、傾斜内壁にランプ支持部としてのソケット６５を備えたことにより、ソケット６５や、これに連なる配線が苗載せ台Ｔの裏面側に突出する不都合を解消できるものにしている。
【図面の簡単な説明】
【００４１】
【図１】苗植付装置の側面図
【図２】苗載せ台の後面図
【図３】ウインカーの構造を示す縦断側面図
【図４】ランプカバーを分離した状態でのウインカーの構造を示す後面図
【図５】ランプカバーの支持構造を示す断面図
【図６】苗載せ台下部の構造を示す縦断側面図
【図７】縦送機構の構造を示す図
【図８】苗載せ台の端部位置の横断平面図及びベースの連結構造を示す断面図
【図９】プーリの嵌合構造を示す図
【図１０】駆動プーリとテンションプーリとの断面図
【図１１】上部支持ロッドの端部とブラケットとの係合構造を示す斜視図
【図１２】延長苗載せ台と苗載せ台の上部との構造を示す後面図
【図１３】延長苗載せ台と苗載せ台の上部との構造を示す縦断側面図
【符号の説明】
【００４２】
３６Ｃ        傾斜内壁
６１          ランプ
６２          ランプカバー
６５          ランプ支持部
Ａ            苗植付装置
Ｇ            凹部
Ｔ            苗載せ台
Ｔｓ          苗載せ面
Ｗ            ウインカー
【図１】
2007082473.tif 000003
【図２】
2007082473.tif 000004
【図３】
2007082473.tif 000005
【図４】
2007082473.tif 000006
【図５】
2007082473.tif 000007
【図６】
2007082473.tif 000008
【図７】
2007082473.tif 000009
【図８】
2007082473.tif 000010
【図９】
2007082473.tif 000011
【図１０】
2007082473.tif 000012
【図１１】
2007082473.tif 000013
【図１２】
2007082473.tif 000014
【図１３】
2007082473.tif 000015